(57)【要約】【課題】  相互に係合可能な係合手段を有し、且つ所望の軽量化を可能にする通水自在な軽量な盛土材と、これを用いた軽量盛土構造物と、その構築法とを提供することを目的とする。【解決手段】  盛土材を鋼管と該鋼管の上下面に鋼管の外面から突出して設置された断面波形状の底板および天板とから構成する。そして、一方の盛土材の一方の底板および天板の突出部に、他方の盛土材の他方の底板および天板の突出部をそれぞれ重ねて敷設する。さらに、該重なり部を跨いで、天板の上に上層を形成する盛土材を積層する。【選択図】        図１５
2005083067.tif 000002
【特許請求の範囲】
【請求項１】
下面および上面が平行に形成された筒状体と、前記筒状体の外面から突出して前記下面に設置された底板と、前記筒状体の外面から突出して前記上面に設置された天板とを具備し、
前記底板が平坦な板材で、前記天板が断面波形状の板材であることを特徴とする軽量盛土構造物を構築するための盛土材。
【請求項２】
下面および上面が平行に形成された筒状体と、前記筒状体の外面から突出して前記下面に設置された底板と、前記筒状体の外面から突出して前記上面に設置された天板とを具備し、
前記底板および天板はいずれも断面波形状の板材であって、側縁部を除く範囲または全範囲において、相互に面対称または平行に設置されていることを特徴とする軽量盛土構造物を構築するための盛土材。
【請求項３】
前記底板の下面に平板が設置されていることを特徴とする請求項２記載の軽量盛土構造物を構築するための盛土材。
【請求項４】
前記底板の下面にモルタルが設置され、該モルタルの下面が平坦であることを特徴とする請求項１乃至３の何れかに記載の軽量盛土構造物を構築するための盛土材。
【請求項５】
下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いた軽量盛土構造物の構築法であって、
地盤上に載置された第一の盛土材の底板および天板の一方の側縁部の上に、第二の盛土材の底板および天板の他方の側縁部をそれぞれ重ね、且つ、第二の盛土材の底板の一方を地盤上に載置する工程と、
該第二の盛土材の底板および天板の一方の側縁部の上に、第三の盛土材の底板および天板の他方の側縁部をそれぞれ重ね、且つ、第三の盛土材の底板の一方を地盤上に載置する工程と、
第一の盛土材の天板の上および第二の盛土材の天板の上に、第四の盛土材を載置する工程と、
第四の盛土材の底板および天板の一方の側縁部の上に、第五の盛土材の底板および天板の他方の側縁部をそれぞれ重ね、且つ、第五の盛土材の底板の一方を第三の盛土材の天板の上に載置する工程と、
を有することを特徴とする軽量盛土構造物の構築法。
【請求項６】
下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いた軽量盛土構造物の構築法であって、
地盤上に載置された第一の盛土材の底板および天板の一方の側縁部の上に、第二の盛土材の底板および天板の他方の側縁部をそれぞれ重ね、且つ、第二の盛土材の底板の一方を地盤上に載置する工程と、
第二の盛土材の底板および天板の一方の側縁部の上に、第三の盛土材の底板および天板の他方の側縁部をそれぞれ重ね、且つ、第三の盛土材の底板の一方を地盤上に載置する工程と、
第一の盛土材の底板および天板の一方の端縁部の上に、第六の盛土材の底板および天板の他方の端縁部をそれぞれ重ね、且つ、第六の盛土材の底板の一方を地盤上に載置する工程と
第二の盛土材の底板および天板の一方の端縁部の上に、第七の盛土材の底板および天板の他方の端縁部をそれぞれ重ね、且つ、第六の盛土材の底板および天板の一方の側縁部の上に、第七の盛土材の底板および天板の他方の側縁部をそれぞれ重ねる工程と、
第三の盛土材の底板および天板の一方の端縁部の上に、第八の盛土材の底板および天板の他方の端縁部をそれぞれ重ね、且つ、第七の盛土材の底板および天板の一方の側縁部の上に、第八の盛土材の底板および天板の他方の側縁部をそれぞれ重ねる工程と、
第一の盛土材、第二の盛土材、第六の盛土材または第七の盛土材のそれぞれの天板同士の前記重なり部の一部を跨いで、第四の盛土材を載置する工程と、
第四の盛土材の底板および天板の一方の側縁部の上に、第五の盛土材の底板および天板の他方の側縁部をそれぞれ重ね、且つ、第二の盛土材、第三の盛土材、第七の盛土材または第八の盛土材のそれぞれの天板同士の前記重なり部の一部を跨いで、第五の盛土材を載置する工程と、
を有することを特徴とする軽量盛土構造物の構築法。
【請求項７】
下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いた軽量盛土構造物の構築法であって、
地盤上に載置された第一の盛土材の底板および天板の一方の側縁部の上に、第二の盛土材の底板および天板の他方の側縁部をそれぞれ重ね、且つ、第二の盛土材の底板の一方を地盤上に載置する工程と、
第二の盛土材の底板および天板の一方の側縁部の上に、第三の盛土材の底板および天板の他方の側縁部をそれぞれ重ね、且つ、第三の盛土材の底板の一方を地盤上に載置する工程と、
第一の盛土材の底板および天板の一方の端縁部並びに第二の盛土材の底板および天板の一方の端縁部の上に、第六の盛土材の底板および天板の他方の端縁部をそれぞれ重ね、且つ、第六の盛土材の底板の一方を地盤上に載置する工程と
第二の盛土材の底板および天板の一方の端縁部並びに第三の盛土材の底板および天板の一方の端縁部の上に、第七の盛土材の底板および天板の他方の端縁部をそれぞれ重ね、且つ、第六の盛土材の底板および天板の一方の側縁部の上に、第七の盛土材の底板および天板の他方の側縁部をそれぞれ重ねる工程と、
同様にして、第三の盛土材の一方の端縁方向で、第七の盛土材の一方の側縁方向に第八の盛土材を設置する工程と、
第一の盛土材、第二の盛土材、第六の盛土材または第七の盛土材のそれぞれの天板同士の前記重なり部の一部を跨いで、第四の盛土材を載置する工程と、
第四の盛土材の底板および天板の一方の側縁部の上に、第五の盛土材の底板および天板の他方の側縁部をそれぞれ重ね、且つ、第二の盛土材、第三の盛土材、第七の盛土材または第八の盛土材のそれぞれの天板同士の前記重なり部の一部を跨いで、第五の盛土材を載置する工程と、
を有することを特徴とする軽量盛土構造物の構築法。
【請求項８】
前記軽量盛土構造物を構築するための盛土材に、請求項１乃至４の何れかに記載の軽量盛土構造物を構築するための盛土材が含まれることを特徴とする請求項５乃至７の何れかに記載の軽量盛土構造物の構築法。
【請求項９】
下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いた軽量盛土構造物であって、
地盤上に載置された第一の盛土材と、
第一の盛土材の底板および天板の一方の側縁部の上に、底板および天板の他方の側縁部がそれぞれ重なって地盤上に載置された第二の盛土材と、
第二の盛土材の底板および天板の一方の側縁部の上に、底板および天板の他方の側縁部がそれぞれ重なって地盤上に載置された第三の盛土材と、
第一の盛土材の天板の上および第二の盛土材の天板の上に載置された第四の盛土材と、
第四の盛土材の底板および天板の一方の側縁部の上に、底板および天板の他方の側縁部がそれぞれ重なって第三の盛土材の天板の上に載置された第五の盛土材と
を有することを特徴とする軽量盛土構造物。
【請求項１０】
下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いた軽量盛土構造物であって、
地盤上に載置された第一の盛土材と、
第一の盛土材の底板および天板の一方の側縁部の上に、底板および天板の他方の側縁部がそれぞれ重なって地盤上に載置された第二の盛土材と、
第二の盛土材の底板および天板の一方の側縁部の上に、底板および天板の他方の側縁部がそれぞれ重なって地盤上に載置された第三の盛土材と、
第一の盛土材の底板および天板の一方の端縁部の上に、底板および天板の他方の端縁部がそれぞれ重なって地盤上に載置された第六の盛土材と、
第二の盛土材の底板および天板の一方の端縁部の上に、底板および天板の他方の端縁部がそれぞれ重なり、且つ、第六の盛土材の底板および天板の一方の側縁部の上に、底板および天板の他方の側縁部がそれぞれ重なる第七の盛土材と、
第三の盛土材の底板および天板の一方の端縁部の上に、底板および天板の他方の端縁部がそれぞれ重なり、且つ、第七の盛土材の底板および天板の一方の側縁部の上に、底板および天板の他方の側縁部がそれぞれ重なる第八の盛土材と、
第一の盛土材、第二の盛土材、第六の盛土材または第七の盛土材のそれぞれの天板同士の前記重なり部の一部を跨いで載置された第四の盛土材と、
第四の盛土材の底板および天板の一方の側縁部の上に、底板および天板の他方の側縁部がそれぞれ重なり、且つ、第二の盛土材、第三の盛土材、第七の盛土材または第八の盛土材のそれぞれの天板同士の前記重なり部の一部を跨いで載置された第五の盛土材と、
を有することを特徴とする軽量盛土構造物。
【請求項１１】
下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いた軽量盛土構造物であって、
地盤上に載置された第一の盛土材と、
第一の盛土材の底板および天板の一方の側縁部の上に、底板および天板の他方の側縁部がそれぞれ重なって地盤上に載置された第二の盛土材と、
第二の盛土材の底板および天板の一方の側縁部の上に、底板および天板の他方の側縁部がそれぞれ重なって地盤上に載置された第三の盛土材と、
第一の盛土材並びに第二の盛土材の底板および天板の一方の端縁部の上に、底板および天板の他方の端縁部がそれぞれ重なって地盤上に載置された第六の盛土材と、
第二の盛土材並びに第三の盛土材の底板および天板の一方の端縁部の上に、底板および天板の他方の端縁部がそれぞれ重なり、且つ、第六の盛土材の底板および天板の一方の側縁部の上に、底板および天板の他方の側縁部がそれぞれ重なる第七の盛土材と、
同様にして、第三の盛土材の一方の端縁方向で、第七の盛土材の一方の側縁方向に設置された第八の盛土材と、
第一の盛土材、第二の盛土材、第六の盛土材または第七の盛土材のそれぞれの天板同士の前記重なり部の一部を跨いで載置された第四の盛土材と、
第四の盛土材の底板および天板の一方の側縁部の上に、底板および天板の他方の側縁部がそれぞれ重なり、第二の盛土材、第三の盛土材、第七の盛土材または第八の盛土材のそれぞれの天板同士の前記重なり部の一部を跨いで設置された第五の盛土材と、
を有することを特徴とする軽量盛土構造物。
【請求項１２】
前記軽量盛土構造物を構築するための盛土材に、請求項１乃至４の何れかに記載の軽量盛土構造物を構築するための盛土材が含まれることを特徴とする請求項９乃至１１の何れかに記載の軽量盛土構造物。
【発明の詳細な説明】
【技術分野】
【０００１】
本発明は、軟弱地盤上に道路等を敷設する際に設置される軽量盛土構造物、およびその構築法並びにその盛土材に関する。
【背景技術】
【０００２】
軟弱地盤上に設置される盛土には、すべり破壊対策、沈下対策および周辺地盤の変形対策が必要であって、盛土自体の水平方向に向かうすべりを防止するもの、軟弱地盤自体を改良するもの、軟弱地盤の表面に補強手段を設けるもの、盛土自体を軽量化するもの等、種々の構築法が提案されている。
そして、盛土自体を軽量化する構築法（以下、軽量盛土法と称す）には、盛土に気泡を混合して低密度にする気泡混合軽量盛土法（ＦＣＰ構築法）や発泡ビーズ混合土等の軽量材料によって盛土する構築法、施工工期の短縮、施工の容易さ、盛土品質の保証、トータルコストの低減等を図るため、プレキャスト化した軽量盛土材を積み上げる構築法等がある。
【０００３】
たとえば、ブロック状または板状の硬質発泡プラスチック製軽量盛土材を盛土内に敷設して、該盛土材を帯状材によって連結する構築法（例えば、特許文献１参照）。
軽量ブロックを多数積層したブロック構造層を内部に形成し、ブロック構造層がポリウレタン発泡体によって一体に固定される構築法（例えば、特許文献２参照）。
凹凸を有する超軽量中空型ＦＲＰ箱を、その凹凸を嵌め合わせて積み上げる構築法（例えば、特許文献３参照）。
長手方向に突条および溝条を有する軽量コンクリートブロックおよびポリスチレン発泡体ブロックを、一方のブロックの突条と他方のブロックの溝条を嵌合して積み上げる構築法がある（例えば、特許文献４参照）。
【０００４】
しかしながら、前記構築法は、軽量ブロックや超軽量中空型ＦＲＰ箱等の盛土材が、いずれも、水よりも比重が軽いため、周囲に水が侵入した場合に浮き上がるという問題を抱えていた。また、該浮き上がりを防止しようとすると、設置されている当該盛土材の周囲から水を排出するための排水処理手段を設ける必要が生じ、かえって施工工期の延長や施工コストの上昇を招くという問題があった。
そして、かかる問題を解消するために、見かけ比重が０．４５以下で内部から外部に連通した中空部を備え且つ自立可能なコンクリートブロック体を積層する構築法が開示されている（例えば、特許文献５参照、以下、従来技術と称す）。
【０００５】
【特許文献１】特開昭６２−１９７５２１号公報（第２−３頁、第１図）
【特許文献２】特許第２５６６４２２号公報（第２−３頁、第１図）
【特許文献３】特開平１１−１０７２８１（第２頁、第４図）
【特許文献４】特開平１１−１０７２８１（第２−３頁、第１図）
【特許文献５】特開平１１−１０７２８１（第３−５頁、図２）
【発明の開示】
【発明が解決しようとする課題】
【０００６】
しかしながら、前記従来技術（特許文献５参照）は、空隙率が高くしかも透水性を有する盛土材を用いるため、盛土構造物の中に水の通路を形成して浸水に伴う浮き上がりのおそれがないという効果を奏するものの、以下のような問題点を有している。
（ｉ）盛土材（コンクリートブロック体）がコンクリートによって形成されるため、所定の支持力を保証しようとすると、薄肉化に限界があり、所望の軽量化を図ることができない。
（ｉｉ）盛土材が立方体または直方体であって、平面的に敷設され、さらに上下に積層されるだけで、相互に連結または係止されないため、地震等の外力によって相互に離れるおそれがある。
（ｉｉｉ）また、コンクリートを所定の形状に成形するため、該成形に用いる型枠は組立・分解可能な外枠と膨張・収縮可能な中子とを必要とする複雑なものになって、該成形作業の自動化や迅速化が困難になる。よって、盛土材の製造コストが高くなって盛土構造物のトータルコストが高くなる。
【０００７】
本発明は、このような問題点を解決するためになされたものであり、相互に係止可能な係止手段を有し、且つ所望の軽量化を可能にする軽量な盛土材と、該盛土材によって構築され、その中に水の通路が形成される軽量盛土構造物と、該盛土材を用いた軽量盛土構造物の構築法とを提供することを目的とする。
【課題を解決するための手段】
【０００８】
（１）本発明に係る軽量盛土構造物を構築するための盛土材は、下面および上面が平行に形成された筒状体と、前記筒状体の外面から突出して前記下面に設置された底板と、前記筒状体の外面から突出して前記上面に設置された天板とを具備し、
前記底板が平坦な板材で、前記天板が断面波形状の板材であることを特徴とする。
【０００９】
（２）さらに、下面および上面が平行に形成された筒状体と、前記筒状体の外面から突出して前記下面に設置された底板と、前記筒状体の外面から突出して前記上面に設置された天板とを具備し、
前記底板および天板はいずれも断面波形状の板材であって、側縁部を除く範囲または全範囲において、相互に面対称または平行に設置されていることを特徴とする。
【００１０】
（３）さらに、前記底板の下面に平板が設置されていることを特徴とする。
【００１１】
（４）さらに、前記底板の下面にモルタルが設置され、該モルタルの下面が平坦であることを特徴とする。
【００１２】
（５）また、本発明に係る軽量盛土構造物の構築法は、下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いるものであって、
地盤上に載置された第一の盛土材の底板および天板の一方の側縁部の上に、第二の盛土材の底板および天板の他方の側縁部をそれぞれ重ね、且つ、第二の盛土材の底板の一方を地盤上に載置する工程と、
該第二の盛土材の底板および天板の一方の側縁部の上に、第三の盛土材の底板および天板の他方の側縁部をそれぞれ重ね、且つ、第三の盛土材の底板の一方を地盤上に載置する工程と、
第一の盛土材の天板の上および第二の盛土材の天板の上に、第四の盛土材を載置する工程と、
第四の盛土材の底板および天板の一方の側縁部の上に、第五の盛土材の底板および天板の他方の側縁部をそれぞれ重ね、且つ、第五の盛土材の底板の一方を第三の盛土材の天板の上に載置する工程と、
を有することを特徴とする。
【００１３】
（６）また、下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いるものであって、
地盤上に載置された第一の盛土材の底板および天板の一方の側縁部の上に、第二の盛土材の底板および天板の他方の側縁部をそれぞれ重ね、且つ、第二の盛土材の底板の一方を地盤上に載置する工程と、
第二の盛土材の底板および天板の一方の側縁部の上に、第三の盛土材の底板および天板の他方の側縁部をそれぞれ重ね、且つ、第三の盛土材の底板の一方を地盤上に載置する工程と、
第一の盛土材の底板および天板の一方の端縁部の上に、第六の盛土材の底板および天板の他方の端縁部をそれぞれ重ね、且つ、第六の盛土材の底板の一方を地盤上に載置する工程と
第二の盛土材の底板および天板の一方の端縁部の上に、第七の盛土材の底板および天板の他方の端縁部をそれぞれ重ね、且つ、第六の盛土材の底板および天板の一方の側縁部の上に、第七の盛土材の底板および天板の他方の側縁部をそれぞれ重ねる工程と、
第三の盛土材の底板および天板の一方の端縁部の上に、第八の盛土材の底板および天板の他方の端縁部をそれぞれ重ね、且つ、第七の盛土材の底板および天板の一方の側縁部の上に、第八の盛土材の底板および天板の他方の側縁部をそれぞれ重ねる工程と、
第一の盛土材、第二の盛土材、第六の盛土材または第七の盛土材のそれぞれの天板同士の前記重なり部の一部を跨いで、第四の盛土材を載置する工程と、
第四の盛土材の底板および天板の一方の側縁部の上に、第五の盛土材の底板および天板の他方の側縁部をそれぞれ重ね、且つ、第二の盛土材、第三の盛土材、第七の盛土材または第八の盛土材のそれぞれの天板同士の前記重なり部の一部を跨いで、第五の盛土材を載置する工程と、
を有することを特徴とする。
【００１４】
（７）また、下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いるものであって、
地盤上に載置された第一の盛土材の底板および天板の一方の側縁部の上に、第二の盛土材の底板および天板の他方の側縁部をそれぞれ重ね、且つ、第二の盛土材の底板の一方を地盤上に載置する工程と、
第二の盛土材の底板および天板の一方の側縁部の上に、第三の盛土材の底板および天板の他方の側縁部をそれぞれ重ね、且つ、第三の盛土材の底板の一方を地盤上に載置する工程と、
第一の盛土材の底板および天板の一方の端縁部並びに第二の盛土材の底板および天板の一方の端縁部の上に、第六の盛土材の底板および天板の他方の端縁部をそれぞれ重ね、且つ、第六の盛土材の底板の一方を地盤上に載置する工程と
第二の盛土材の底板および天板の一方の端縁部並びに第三の盛土材の底板および天板の一方の端縁部の上に、第七の盛土材の底板および天板の他方の端縁部をそれぞれ重ね、且つ、第六の盛土材の底板および天板の一方の側縁部の上に、第七の盛土材の底板および天板の他方の側縁部をそれぞれ重ねる工程と、
同様にして、第三の盛土材の一方の端縁方向で、第七の盛土材の一方の側縁方向に第八の盛土材を設置する工程と、
第一の盛土材、第二の盛土材、第六の盛土材または第七の盛土材のそれぞれの天板同士の前記重なり部の一部を跨いで、第四の盛土材を載置する工程と、
第四の盛土材の底板および天板の一方の側縁部の上に、第五の盛土材の底板および天板の他方の側縁部をそれぞれ重ね、且つ、第二の盛土材、第三の盛土材、第七の盛土材または第八の盛土材のそれぞれの天板同士の前記重なり部の一部を跨いで、第五の盛土材を載置する工程と、
を有することを特徴とする。
【００１５】
（８）さらに、前記（５）乃至（７）の何れかにおいて、前記軽量盛土構造物を構築するための盛土材に、前記（１）乃至（４）の何れかに記載の軽量盛土構造物を構築するための盛土材が含まれることを特徴とする。
【００１６】
（９）また、本発明に係る軽量盛土構造物は、下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いるものであって、
地盤上に載置された第一の盛土材と、
第一の盛土材の底板および天板の一方の側縁部の上に、底板および天板の他方の側縁部がそれぞれ重なって地盤上に載置された第二の盛土材と、
第二の盛土材の底板および天板の一方の側縁部の上に、底板および天板の他方の側縁部がそれぞれ重なって地盤上に載置された第三の盛土材と、
第一の盛土材の天板の上および第二の盛土材の天板の上に載置された第四の盛土材と、
第四の盛土材の底板および天板の一方の側縁部の上に、底板および天板の他方の側縁部がそれぞれ重なって第三の盛土材の天板の上に載置された第五の盛土材と
を有することを特徴とする。
【００１７】
（１０）また、下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いるものであって、
地盤上に載置された第一の盛土材と、
第一の盛土材の底板および天板の一方の側縁部の上に、底板および天板の他方の側縁部がそれぞれ重なって地盤上に載置された第二の盛土材と、
第二の盛土材の底板および天板の一方の側縁部の上に、底板および天板の他方の側縁部がそれぞれ重なって地盤上に載置された第三の盛土材と、
第一の盛土材の底板および天板の一方の端縁部の上に、底板および天板の他方の端縁部がそれぞれ重なって地盤上に載置された第六の盛土材と、
第二の盛土材の底板および天板の一方の端縁部の上に、底板および天板の他方の端縁部がそれぞれ重なり、且つ、第六の盛土材の底板および天板の一方の側縁部の上に、底板および天板の他方の側縁部がそれぞれ重なる第七の盛土材と、
第三の盛土材の底板および天板の一方の端縁部の上に、底板および天板の他方の端縁部がそれぞれ重なり、且つ、第七の盛土材の底板および天板の一方の側縁部の上に、底板および天板の他方の側縁部がそれぞれ重なる第八の盛土材と、
第一の盛土材、第二の盛土材、第六の盛土材または第七の盛土材のそれぞれの天板同士の前記重なり部の一部を跨いで載置された第四の盛土材と、
第四の盛土材の底板および天板の一方の側縁部の上に、底板および天板の他方の側縁部がそれぞれ重なり、且つ、第二の盛土材、第三の盛土材、第七の盛土材または第八の盛土材のそれぞれの天板同士の前記重なり部の一部を跨いで載置された第五の盛土材と、
を有することを特徴とする。
【００１８】
（１１）さらに、下面および上面が平行に形成された筒状体と、前記筒状体の外面から突出して前記下面に設置された底板と、前記筒状体の外面から突出して前記上面に設置された天板とを具備する軽量盛土構造物を構築するための盛土材を用いるものであって、
地盤上に載置された第一の盛土材と、
第一の盛土材の底板および天板の一方の側縁部の上に、底板および天板の他方の側縁部がそれぞれ重なって地盤上に載置された第二の盛土材と、
第二の盛土材の底板および天板の一方の側縁部の上に、底板および天板の他方の側縁部がそれぞれ重なって地盤上に載置された第三の盛土材と、
第一の盛土材並びに第二の盛土材の底板および天板の一方の端縁部の上に、底板および天板の他方の端縁部がそれぞれ重なって地盤上に載置された第六の盛土材と、
第二の盛土材並びに第三の盛土材の底板および天板の一方の端縁部の上に、底板および天板の他方の端縁部がそれぞれ重なり、且つ、第六の盛土材の底板および天板の一方の側縁部の上に、底板および天板の他方の側縁部がそれぞれ重なる第七の盛土材と、
同様にして、第三の盛土材の一方の端縁方向で、第七の盛土材の一方の側縁方向に設置された第八の盛土材と、
第一の盛土材、第二の盛土材、第六の盛土材または第七の盛土材のそれぞれの天板同士の前記重なり部の一部を跨いで載置された第四の盛土材と、
第四の盛土材の底板および天板の一方の側縁部の上に、底板および天板の他方の側縁部がそれぞれ重なり、第二の盛土材、第三の盛土材、第七の盛土材または第八の盛土材のそれぞれの天板同士の前記重なり部の一部を跨いで設置された第五の盛土材と、
を有することを特徴とする。
【００１９】
（１２）さらに、前記（９）乃至（１１）の何れかにおいて、前記軽量盛土構造物を構築するための盛土材に、前記（１）乃至（４）の何れかに記載の軽量盛土構造物を構築するための盛土材が含まれることを特徴とする。
【発明の効果】
【００２０】
本発明に係る軽量盛土構造物を構築するための盛土材は、
（ｉ）筒状体と底板と天板から構成され、その内部に水の通路を形成するから、浸水に伴う浮き上がりのおそれがない。
（ｉｉ）また、簡素な構造であって、薄肉化が可能であるから、安価に所望の軽量化を図ることがでる。
（ｉｉｉ）また、底板と天板が断面波形状であって、その側縁部同士が係止するから、相互に重ねた際、地震等の外力によって相互に離れるおそれがない。
（ｉｖ）さらに、本発明に係る軽量盛土構造物の構築法は前記盛土材を用いるから、施工が容易であって、施工期間の短縮、施工コストの低減が可能になる。
（ｖ）さらに、本発明に係る軽量盛土構造物は前記盛土材を用いるから、全体を軽量且つ、堅固にすることができるため、施工場所の制限が緩和され、且つ、保全性および耐久性に優れている。
（ｖｉ）また、施工に際し、軟弱地盤自体の改良対策や軟弱地盤上への補強対策が、不要または軽度になるため、トータルの施工コストがさらに低減する。
（ｖｉｉ）また、筒状体等の形状を自由に選定自在であるため、意匠性が付与され、景観性に優れた環境フレンドリーな構造物を提供することが可能になる。
【発明を実施するための最良の形態】
【００２１】
［実施形態１］
（中間部エレメント−１）
図１は本発明の実施形態１に係る軽量盛土構造物を構築するための盛土材（中間部エレメント−１）であって、（ａ）は正面図、（ｂ）は平面図、（ｃ）は側面図である。
図１において、軽量盛土構造物を構築するための盛土材１（以下、盛土材と称す）は、所定長さの円形鋼管である筒状体１０（以下、鋼管と称す）と、鋼管１０の両端面にそれぞれ設置された底板２０と天板３０とから構成されている。
底板２０および天板３０はいずれも断面波形状の矩形板材であって、それぞれの縁部が鋼管１０の外面から突出している。
【００２２】
なお、以下の説明を容易にするため、図中に、Ｘ方向、Ｙ方向およびＺ方向を便宜的に定める。
すなわち、鋼管１０の軸方向をＺ方向（以下、高さ方向または上下方向と称する場合がある）とし、鋼管１０の上端を上面、下端を下面、側壁の外側を外面、側壁の内側を内面と称す。
底板２０および天板３０は、それぞれＸＹ面（以下、水平面と称する場合がある）に平行であって、相互にＸＹ面に対して面対称に設置されている。また、断面波形状の＋Ｚ方向（上方向）にある部分を山部と、−Ｚ方向（下方向）にある部分を谷部と称し、山部から谷部、谷部から山部に向かう方向をＸ方向または側縁方向、山部（谷部に同じ）を連ねた方向をＹ方向または端縁方向とする。
【００２３】
さらに、底板２０および天板３０の＋Ｘ方向を「一方」として、＋Ｘ方向の縁に近い範囲を「東側縁部」と、最も東に位置する山部を「東山部」と、最も東に位置する谷部を「東谷部」とそれぞれ便宜的に称す。また、−Ｘ方向を「他方」として、−Ｘ方向の縁に近い範囲を「西側縁部」と、最も西に位置する山部を「西山部」と、最も西に位置する谷部を「西谷部」とそれぞれ便宜的に称す。
同様に、＋Ｙ方向を「一方」として、＋Ｙ方向の縁に近い範囲を「北端縁部」と便宜的に称す。また、−Ｙ方向を「他方」として、−Ｙ方向の縁に近い範囲を「南端縁部」と便宜的に称す。
なお、以下の図において図１と同じ部分にはこれと同じ符号を付し、一部の説明を省略する。また、東西南北の位置に対応している各部分については、符号にそれぞれＥＷＳＮのアルファベットを付記する。
【００２４】
盛土材１の底板２０は、その山部２１が鋼管１０の下面に溶接され、一方、天板３０は、その谷部３２が鋼管１０の上面に溶接されている。
図１において、底板２０の東側縁部２０Ｅは、東谷部２２Ｅ（最も東、図中、最も右）が鋼管１０の外面から突出している。そして、東谷部２２Ｅよりも鋼管１０寄り（西側）にある東山部２１Ｅが、鋼管１０の下面の「位置Ｅ２」おいて溶接されている。
また、底板２０の西谷部２２Ｗ（最も西、図中、最も左）が鋼管１０の外面から突出している。そして、西谷部２２Ｗよりも鋼管１０寄り（東側）にある西山部２１Ｗが、鋼管１０の下面の「位置Ｗ２」おいて溶接されている。
さらに、底板２０の東西方向の中央に山部２１が位置しているため、山部２１が南端縁部２０Ｓに近い「位置Ｓ２」において、および北端縁部２０Ｎに近い「位置Ｎ２」おいてそれぞれ溶接されている。
【００２５】
同様に、天板３０の東山部３１Ｅ（最も東、図中、最も右）が鋼管１０の外面から突出している。そして、東山部３１Ｅよりも鋼管１０寄り（西側）にある東谷部３２Ｅが、鋼管１０の上面の「位置Ｅ３」おいて溶接されている。
また、天板３０の西山部３１Ｗ（最も西、図中、最も左）が鋼管１０の外面から突出している。そして、西山部３１Ｗよりも鋼管１０寄り（東側）にある西谷部３２Ｗが、鋼管１０の上面の「位置Ｗ３」おいて溶接されている。
さらに、天板３０の東西方向の中央に谷部３２が位置しているため、谷部３２が南端縁部３０Ｓに近い「位置Ｓ３」において、および北端縁部３０Ｎに近い「位置Ｎ３」おいてそれぞれ溶接されている。
【００２６】
したがって、底板２０および天板３０の鋼管１０の外面から突出した縁部の変形、特にＸＺ面内における側縁部の「そり上がり」が押さえられている。なお、図１において、溶接線を太い実線にて示す。
また、底板２０の谷部２２および天板３０の山部３１が、それぞれ鋼管１０の下面および上面から離れているから、この範囲を通って水が鋼管１０内に流入し、また鋼管１０から流出することになる。
そして、盛土材１は、軽量盛土構造物において、最下層、中間層または最上層の何れの位置であっても配置可能なものである（これについては、別途説明する）。
【００２７】
なお、図１において断面波形状が断面台形であるが、本発明はこれに限定するものではなく、断面正弦波、断面複合円弧波、断面三角波、断面矩形波等何れであってもよい。また、波形状の大きさや山谷の数量は限定するものではなく、鋼管１０の外面から突出する距離や、突出する範囲における山谷の数量も限定するものではない。
また、底板２０の最も東（図中、最も右）および最も西（図中、左）に、いずれも谷部が配置されているが、本発明はこれに限定するものではなく、何れか一方または両方に山部を配置してもよい。該配置要領は天板３０においても同様である。
【００２８】
さらに、底板２０および天板３０の平面形状は矩形に限定するものではなく、八角形（角部が三角形状に欠けた矩形）や円形であってもよく、鋼管１０の内面に相当する範囲に軽量化のための貫通孔（開口部）を設けてもよい。
また、鋼管１０の平面形状は円形に限定するものではなく、断面矩形であってもよい。
以上は、鋼管１０、底板２０および天板３０を鉄鋼やステンレス鋼で形成し、これらを溶接しているが、本発明はこれに限定するものではなく、鉄鋼以外の軽金属や合成樹脂、あるいは両者の複合材によって形成してもよく、溶接に代えて接着剤による接着や、一体成形するものであってもよい。また、塗装等の防錆処理が施されてもよい。
また、各部分の材料強度（例えば、耐力等）や厚さの選定は設計的事項である。
【００２９】
（中間部エレメント−２）
図２は本発明の実施形態１に係る軽量盛土構造物を構築するための盛土材（中間部エレメント−２）であって、（ａ）は正面図、（ｃ）は側面図である。平面図は図示しない。
図２において、軽量盛土構造物を構築するための盛土材２（以下、盛土材と称す）は、図１に示す盛土材１（中間部エレメント−１）における天板３０を裏返して設置したものである。
このため、天板９０（天板３０に実質同一である）の最も東に東谷部９２Ｅが形成され、東谷部９２Ｅが鋼管１０の外面から突出している。そして、東谷部９２Ｅよりも西側にある東山部９１Ｅは「位置Ｅ３」に配置されるため「位置Ｅ３」において鋼管１０に溶接されないで、東山部９１Ｅより西側に位置する谷部が鋼管１０に溶接されなることになる。
また、同様に、最も西に西谷部９２Ｗが形成され、西谷部９２Ｗが鋼管１０の外面から突出している。そして、西谷部９２Ｗよりも東側にある西山部９１Ｗは「位置Ｗ３」に配置されるため「位置Ｗ３」において鋼管１０に溶接されないで、西山部９１Ｗより東側に位置する谷部が鋼管１０に溶接されなることになる。
このため、天板９０の鋼管１０の外面から突出した縁部の変形、特にＸＺ面内における側縁部の「そり上がり」が盛土材１の天板３０程押さえられない。しかしながら、盛土材２は天板９０を除く部分が盛土材１（中間部エレメント−１）に同じであるから、盛土材１と同様の機能を具備するものである。
【００３０】
（側部エレメント−１）
図３は本発明の実施形態１に係る軽量盛土構造物を構築するための盛土材（側部エレメント−１）を示す正面図である。
図３において、軽量盛土構造物を構築するための盛土材３（以下、盛土材と称す）は、前記盛土材１の天板３０の西側縁部３０Ｓの西山部３１Ｗ（最も西に位置している）の頂上部を撤去したものに相当している。
すなわち、天板４０は、西側縁部４０Ｗの最も西に側壁４３Ｗが略垂直に立ち上がっている。そして、西谷部４２Ｗの谷底が「位置Ｗ３］において鋼管１０の上面に溶接されている。
なお、天板４０の西側縁部４０Ｗを除く範囲は底板２０に面対称な断面波形状である。つまり、西側縁部４０Ｗが山部頂上を欠く簡素な形状であって、側壁４３Ｗが鋼管１０の外面から過剰に突出することなく確実に接合されているから、意匠性が向上して、軽量盛土構造物の側部に配置された際に、景観を阻害することがない。
すなわち、盛土材３は、軽量盛土構造物において、最下層、中間層または最上層の何れかの層において、側部に配置するのに好適な形状を有し、盛土材１（中間部エレメント−１）と同様の機能を具備するものである。
【００３１】
（側部エレメント−２）
図４は本発明の実施形態１に係る軽量盛土構造物を構築するための盛土材（側部エレメント−２）を示す正面図である。
図４において、軽量盛土構造物を構築するための盛土材４（以下、盛土材と称す）は、図３に示す盛土材３（側部エレメント−１）における天板４０が裏返しに設置されたものである。
盛土材４の天板９５（天板４０の西谷部４２Ｗの巾を狭めたものに実質同一である）の西側縁部９５Ｗは、西山部９６Ｗから略垂直に側壁９８Ｗが下がり、側壁９８Ｗの下縁が「位置Ｗ３」において鋼管１０に溶接されている。このため、西側縁部９５Ｗの変形が確実に押さえられている。
一方、天板９５の東谷部９７Ｅ（最も東）が鋼管１０の外面から突出している。そして、東谷部９７Ｅよりも西側にある東山部９６Ｅは「位置Ｅ３」に配置されるため「位置Ｅ３」において鋼管１０に溶接されないで、東山部９６Ｅより西側に位置する谷部が鋼管１０に溶接されなることになる。このため、天板９５の鋼管１０の外面から突出した縁部の変形、特にＸＺ面内における東側縁部９５Ｅの「そり上がり」が盛土材３の天板４０の東側縁部４０Ｅ程押さえられない。しかしながら、盛土材４は盛土材３（側部エレメント−１）に実質同じであるから、盛土材３と同様の機能を具備するものである。
【００３２】
（底部エレメント−１）
図５は本発明の実施形態１に係る軽量盛土構造物を構築するための盛土材（底部エレメント−１）を示す正面図である。
図５において、軽量盛土構造物を構築するための盛土材５（以下、盛土材と称す）は、図１に示す盛土材１（中間部エレメント−１）における断面波形状の底板２０に代えて、平板５０を設置したものであって、東側縁部５０Ｅ、西側縁部５０Ｗ、南端縁部（図示しない）および北端縁部（図示しない）は、天板３０に準じて鋼管１０の外面から所定の距離だけ突出している。このとき、平板５０は、鋼管１０の下面の略全周にわたって連続的または断続的に溶接されている。また、最下層に使用する盛土材５の鋼管１０には、形状や数量等を限定しない通水孔（図示しない）が設けられ、鋼管１０内への水の流入および鋼管１０外への流出を可能にしている。
したがって、盛土材５は軽量盛土構造物の最下層に配置されるものであって、地盤上に載置された際、平板５０の下面の全面が地盤に当接するから、載置姿勢が安定する。また、盛土材５は平板５０を除く部分が盛土材１（中間部エレメント−１）に同じであるから、盛土材１と同様の機能を具備するものである。
【００３３】
（底部エレメント−２）
図６は本発明の実施形態１に係る軽量盛土構造物を構築するための盛土材（底部エレメント−２）を示す正面図である。
図６において、軽量盛土構造物を構築するための盛土材６（以下、盛土材と称す）は、図１に示す盛土材１（中間部エレメント−１）における断面波形状の底板２０の下面に平板６０を設置したものである。このとき、平板６０は、底板２０の谷部２２の下面に連続的または断続的に溶接されている。
なお、平板６０の東側縁部６０Ｅは底板２０の東谷部２２Ｅの下面に接合されている。一方、平板６０の西側縁部６０Ｗは底板２０の西谷部２２Ｗに到達していないで、西山部２１Ｗの下方が開口している。このため、一方の盛土材６の底板２０の東側縁部２０Ｅが、他方の盛土材６の底板２０の西谷部２２Ｗと平板６０の西側縁部６０Ｗとの隙間（西山部２１Ｗの下方に同じ）に侵入自在になるため、一方の盛土材６の底板２０の東側縁部２０Ｅの上に他方の盛土材６の底板２０の西側縁部２０Ｗを重ねて水平に設置することができる。
【００３４】
したがって、盛土材６は軽量盛土構造物の最下層に配置されるものであって、地盤上に載置された際、平板５０の下面の全面が地盤に当接し、しかも、底板２０が平板６０によって補剛されているから、載置姿勢がさらに安定する。また、盛土材６は盛土材１（中間部エレメント−１）に平板６０を設置したものであるから、盛土材１と同様の機能を具備するものである。
なお、鋼管１０の外面から突出する側縁部に配置される山谷が複数列の場合、複数の盛土材６を並置する際に側縁部同士が重なる山谷の数量に応じて、西側縁部の谷部２２と平板６０の西側縁部６０Ｗとの隙間の大きさ（前記開口部を形成する山部の数量に同じ）は適宜選定されるものである。
また、該隙間を東側に配置して、西側では、底板２０の西谷部２２Ｗの下面に平板６０の西側縁部６０Ｗを溶接してもよい。
【００３５】
（底部エレメント−３）
図７は本発明の実施形態１に係る軽量盛土構造物を構築するための盛土材（底部エレメント−３）を示す正面図である。
図７において、軽量盛土構造物を構築するための盛土材７（以下、盛土材と称す）は、図１に示す盛土材１（中間部エレメント−１）における断面波形状の底板２０の下面にモルタル７０を設置したものである。このとき、モルタル７０は、底板２０の山部２１の下面に充満し、その下面７１は平坦になっている。
なお、モルタル７０の東端縁７０Ｅは底板２０の東谷部２２Ｅの直下に到達しているものの、モルタル７０の西端縁７０Ｗは底板２０の西谷部２２Ｗに到達していない。このため、複数の盛土材７を並置する際、一方の盛土材７のモルタル７０の東端縁７０Ｅが、他方の盛土材７の西側縁７０Ｗと干渉することがないため、該複数の盛土材７を略水平に設置することができる。
【００３６】
したがって、盛土材７は軽量盛土構造物の最下層に配置されるものであって、地盤上に載置された際、底板２０がモルタル７０によって補剛されていて、モルタル７０の下面の全面が地盤に当接するから、載置姿勢がさらに安定する。また、載置される地盤が軟弱である場合であっても、地盤上に地盤補強手段の設置を省略することが可能になる。さらに、盛土材７は盛土材１（中間部エレメント−１）にモルタル７０を設置したものであるから、盛土材１と同様の機能を具備するものである。
なお、前記盛土材５（底部エレメント−１）または盛土材６（底部エレメント−２）について、同様にモルタルを設置してもよい。
【００３７】
なお、以上例示した盛土材５〜７（底部エレメント、図５〜７）は、前記盛土材１（中間部エレメント）と同様に、底板等の平面形状や断面波形状、鋼管との接合形態等限定するものではない。さらに、最下層の側部に配置されるものについては、前記盛土材３または４（側部エレメント）と同様に天板の西側縁部の形状を他の範囲とは異なる形状にしてもよい。また、前記盛土材２（中間部エレメント）に準じて底板と天板とを平行に配置してもよい。
【００３８】
［実施形態２］
（構築法−基本敷設法）
図８は本発明の実施形態２に係る軽量盛土構造物の構築法であって、（ａ）は最下層を示す正面図、（ｂ）は２層目を示す正面図である。なお、前記盛土材１を用いた場合を例に軽量盛土構造物の構築法を説明するものであるが、使用する盛土材は適宜使い分けることができるものである。
図８の（ａ）は、第一の盛土材１００が地盤９００に載置され、これに並べて第二の盛土材２００を設置する状態を示している。このとき、第一の盛土材１００の底板１２０および天板１３０の東側縁部１２０Ｅおよび１３０Ｅの上に第二の盛土材２００の底板２２０および天板２３０の西側縁部２２０Ｗおよび２３０Ｗをそれぞれ載置している。このとき、第一の盛土材１００の天板１３０の東側縁部１３０Ｅと第二の盛土材２００の天板２３０の西側縁部２３０Ｗとは重なって、それぞれの山部と谷部が相互に係止しているから、天板１３０と天板２３０とは連続した断面波形状を呈している。
さらに、同様にして、Ｘ方向（側縁方向、図中、右方向）に向けて順次複数の盛土材を設置することができる。すなわち、最下層の一列を敷設することができる。
なお、鋼管１１０、２１０の外面から突出する側縁部に配置される山または谷の数量はそれぞれ１列であるものに限定するものではなく、山および谷がそれぞれ１列または複数列配置されてもよい。このとき、１列または複数列の山および谷同士がそれぞれ係止することになる。
【００３９】
（構築法−基本積層法）
図８の（ｂ）は、第一の盛土材１００と第二の盛土材２００との上に第三の盛土材３００を設置する状態を示している。すなわち、第一の盛土材１００の天板１３０および第二の盛土材２００の天板２３０の重なった範囲（東側縁部１３０Ｅと西側縁部２３０Ｗとの重なり範囲に同じ）を跨いで第三の盛土材３００を載置する。
このとき、第三の盛土材３００の底板３２０の西寄りの山部や谷部は、第一の盛土材１００の天板１３０の東寄りの山部や谷部に係止し、第三の盛土材３００の底板３２０の東寄りの山部や谷部は、第二の盛土材２００の天板２３０の西寄りの山部や谷部に係止することになる。
さらに、最下層おいてＸ方向（側縁方向）に盛土材が複数設置されている場合には、二層目においても、同様に、Ｘ方向（側縁方向）に向けて順次複数の盛土材を設置することができる。すなわち、第二層を積層することができる。
【００４０】
したがって、二層目を最下層と読み替えれば、同様に三層目を積層することができるから、該読み替えを繰り返すことによって、地盤から所定の高さにおける所定の幅員（側縁方向の距離）を有する軽量盛土構造物を容易に構築することが可能になる。
また、上記構築法で積まれた盛土材は、特にＸ方向（側縁方向）の力に対して移動することがないから、堅固な軽量盛土構造物を構築することができる。さらに、用いる盛土材が前記盛土材１〜７であって、盛土材自体が軽量且つ通水自在であるから、構築された軽量盛土構造物もまた軽量になって軟弱地盤等への負担が減少し、さらに、その内部を水や空気が通過自在であって環境に対しても友好的なものになる。
なお、第一の盛土材１００、第二の盛土材２００および第三の盛土材３００は同一ＸＺ面内に設置される場合、すなわち、Ｙ方向（端縁方向）にずれないで平面視において「方眼配置」される場合については説明しているが、本発明はこれに限定するものではなく、Ｙ方向（端縁方向）でずれる場合、すなわち、平面視において「千鳥設置」であってもよい（これについては、別途説明する）。
また、側縁部を端縁部と読み替えれば、同様にしてＹ方向（端縁方向）に向けて順次複数の盛土材を敷設および積層することができる。
【００４１】
（構築法−側縁方向先行型）
図９および図１０は本発明の実施形態２に係る軽量盛土構造物の構築法であって、側縁方向を先行して設置する側縁方向先行型を、順番を追って模式的に説明する平面図である。
なお、盛土材として前記盛土材１を使用する場合を例にして、鋼管を実線の円で、底板および天板をまとめて実線の矩形で示し、一方の盛土材の底板と他方の盛土材の底板との重なった範囲および一方の盛土材の天板と他方の盛土材の天板との重なった範囲をまとめて斜線の範囲で表示する。また、底板の東側縁部（西側縁部、南端縁部、北端縁部）および天板の東側縁部（西側縁部、南端縁部、北端縁部）をまとめて東側縁部（西側縁部、南端縁部、北端縁部）と称す。さらに、以下の説明において、盛土材の符号は、千の桁を配置される層の名前、百の桁を配置される行の名前、十の桁を配置される列の名前とする。
【００４２】
図９の（ａ）において、盛土材１１１０が地盤（図示しない）に載置されている。
図９の（ｂ）において、盛土材１１２０が盛土材１１１０のＸ方向（東側）に設置されている。なお、設置要領は前記基本敷設法（図８の（ａ）参照）に同じである。すなわち、盛土材１１２０の西側縁部１１２０Ｗが盛土材１１１０の東側縁部１１１０Ｅに重なって相互に係止している（単斜線にて表示する）。
図９の（ｃ）において、さらに、盛土材１１３０が盛土材１１２０のＸ方向（東側）に設置されている。以下、同様に所定の数量の盛土材をＸ方向（東側）に設置して第一行目を敷設することができる。
【００４３】
図９の（ｄ）において、第二行目の盛土材１２１０が盛土材１１１０のＹ方向（北側）に設置されている。このとき、盛土材１２１０の南端縁部１２１０Ｓが盛土材１１１０の北端縁部１１１０Ｎに重なって相互に係止している（単斜線にて表示する）。また、盛土材１２１０の東南角部において、盛土材１２１０と盛土材１１２０と盛土材１１１０の３枚の角部が重なっている（複斜線にて表示する）。
【００４４】
図９の（ｅ）において、盛土材１２２０が盛土材１２１０のＸ方向（東側）で盛土材１１２０のＹ方向（北側）に設置されている。このとき、盛土材１２２０の西側縁部１２２０Ｗが盛土材１２１０の東側縁部１２１０Ｅに重なって相互に係止し、盛土材１２２０の南端縁部１２２０Ｓが盛土材１１２０の北端縁部１１２０Ｎに重なって相互に係止している（単斜線にて表示する）。
また、盛土材１２２０の西南角部において、盛土材１２２０と盛土材１２１０と盛土材１１２０と盛土材１１１０の４枚の角部が重なっている（塗りつぶしにて表示する）。また、盛土材１２２０の東南角部において、盛土材１２２０と盛土材１１３０と盛土材１１２０の３枚の角部が重なっている（複斜線にて表示する）。
さらに、同様にして、Ｘ方向（側縁方向）に向けて順次複数の盛土材を設置して第二行目を敷設することができる。
【００４５】
図１０の（ｆ）において、前記設置要領に準じて、第三行目の盛土材１３１０が盛土材１２１０のＹ方向（北側）に設置され、さらに、盛土材１３２０が盛土材１３１０のＸ方向（東側）で盛土材１２２０のＹ方向（北側）に設置されている。
このとき、盛土材１２２０の底板および天板の周縁部は、これを取り囲む盛土材１３２０、１２１０、１１２０、１２３０の当該縁部に係止している。
さらに、同様にして、Ｘ方向（側縁方向）に向けて順次複数の盛土材を設置して第三行目を敷設することができる。
また、盛土材の角部において、底板同士および天板同士が４枚（塗りつぶしにて表示する）または３枚（複斜線にて表示する）重なっているが、前記のように、底板および天板の四角を矩形状または三角形状に撤去して、底板および天板を平面視で異形四角形または八角形にしておけば、前記角部における３枚または４枚の重なりは生じない。
【００４６】
図１１は本発明の実施形態２に係る軽量盛土構造物の構築法であって、図９および１０に示す側縁方向先行型の構築法において、最下層の上に第二層を積層する要領を模式的に説明する平面図である。なお、図中、底板および天板の記載を省略し、最下層に配置される盛土材の鋼管を破線で、第二層に配置される盛土材の鋼管を実線で表示する。なお、図９、１０と同じ部分にはこれと同じ符号を付し、一部の説明を省略する。
【００４７】
図１１の（ａ）において、最下層の第一行目（Ｘ方向、側縁方向に同じ）に盛土材１１１０、１１２０、１１３０が、最下層の第二行目に盛土材１２１０、１２２０、１２３０が方眼設置されている。
そして、最下層の第一行目の盛土材１１１０、１１２０の２ツに跨って第二層の第一行目の盛土材２１１０が設置されている（図８の（ｂ）に示す基本積層法参照）。さらに、同様（図８〜１０参照）にして、第二層の第一行目の盛土材２１２０、２１３０、第二層の第二行目の盛土材２２１０、２２２０、２２３０が設置されている。すなわち、方眼配置された最下層の上に、Ｘ方向（側縁方向）に半ピッチずれた状態で、方眼配置された第二層が積層されている。
【００４８】
図１１の（ｂ）において、最下層の第一行目（Ｘ方向、側縁方向に同じ）に盛土材１１１０、１１２０、１１３０が、最下層の第二行目に盛土材１２１０、１２２０、１２３０が方眼設置されている。
そして、第二層の第一行目の盛土材２１１０が最下層の第一行目の盛土材１１１０、１１２０および第二行目の盛土材１２１０、１２２０の４ツに跨って設置されている。さらに、盛土材２１２０が盛土材２１１０のＸ方向に隣接、すなわち、最下層の第一行目の盛土材１１２０、１１３０および第二行目の盛土材１２２０、１２３０の４ツに跨って設置されている。以下、同様に盛土材２１３０、２２１０、２２２０、２２３０が設置されている。すなわち、方眼配置された最下層の上に、Ｘ方向（側縁方向）およびＹ方向（端縁方向）の両方にそれぞれ半ピッチずれた状態で、方眼配置された第二層が積層されている。
【００４９】
なお、図中１１の（ａ）および（ｂ）において、平面視で透視した際、第二層の盛土材の鋼管と最下層の盛土材の鋼管とが重なる範囲に斜線を付している。また、破線と実線が交差する部分は限定されるものの、第二層の盛土材の鋼管と最下層の盛土材の鋼管との間には、第二層の盛土材の底板と最下層の盛土材の天板とが挟まれているから、第二層の盛土材にかかる力は該底板および天板によって分散されて最下層の盛土材の鋼管に伝達されることになる。よって、前記破線と実線が交差する部分に力が集中することはない。
さらに、最下層を第二層と読み替えれば、同様にして第三層を積層することができるから、該読み替えを繰り返すことによって、地盤から所定の高さおける所定の幅員（側縁方向の距離）を有する軽量盛土構造物を容易に構築することが可能になる。
【００５０】
（構築法−端縁方向先行型）
図１２および図１３は本発明の実施形態２に係る軽量盛土構造物の構築法であって、端縁方向を先行して設置する端縁方向先行型を、順番を追って模式的に説明する正面図である。なお、記載の要領は図９、１０に準じる。
図１２の（ａ）において、盛土材１１１０が地盤（図示しない）に載置されている。
図１２の（ｂ）において、盛土材１２１０が盛土材１１１０のＹ方向（北側）に設置されている。なお、設置要領は前記基本敷設法（図８の（ａ）参照）に準じる。すなわち、盛土材１２１０の南端縁部１２１０Ｓが盛土材１１１０の北端縁部１１１０Ｎに重なって相互に係止している（単斜線にて表示する）。
図１２の（ｃ）において、さらに、盛土材１３１０が盛土材１２１０のＹ方向（北側）に設置されている。以下、同様にして、所定の数量の盛土材をＹ方向（北側）に設置して第一列目を敷設することができる。
【００５１】
図１２の（ｄ）において、第二列目の盛土材１１２０が盛土材１１１０および盛土材１２１０のＸ方向（東側）に設置されている。このとき、盛土材１１２０の西側縁部１１２０Ｗが盛土材１１１０および盛土材１２１０のそれぞれの東側縁部１１１０Ｅおよび東側縁部１１２０Ｅに重なって相互に係止し（単斜線にて表示する）、一部において、盛土材１１１０と盛土材１２１０と盛土材１１２０の３枚が重なっている（複斜線にて表示する）。すなわち、第二列目の盛土材１２１０が第一列目に対してＹ方向で半ピッチずれている。
【００５２】
図１３の（ｅ）において、盛土材１２２０が盛土材１２１０および盛土材１３１０のＸ方向（東側）で、盛土材１１２０のＹ方向（北側）に設置されている。
このとき、盛土材１２２０の西側縁部１２２０Ｗが、盛土材１２１０の東側縁部１２１０Ｅおよび盛土材１３１０の東側縁部１３１０Ｅに重なって相互に係止し（単斜線にて表示する）、盛土材１２２０の南端縁部１２２０Ｓが盛土材１１２０の北端縁部１１２０Ｎに重なって相互に係止している（単斜線にて表示する）。
また、一部において、盛土材１２２０と盛土材１３１０と盛土材１２１０の３枚が重なり、一部において、盛土材１２２０と盛土材１１２０と盛土材１２１０の３枚が重なっている（複斜線にて表示する）。なお、底板および天板の四角を撤去して、底板および天板を平面視で、たとえば八角形にしておけば、前記３枚の重なりは生じない。
さらに、同様にして、Ｙ方向（端縁方向）に向けて順次複数の盛土材を設置して第二列目を敷設することができる。
【００５３】
図１３の（ｆ）において、前記設置要領に準じて、第三列目の盛土材１１３０が設置されている。このとき、第一行目の盛土材１１３０が盛土材１１２０のＸ方向（東側）に設置され、第二行目の盛土材１２３０が盛土材１１３０のＹ方向（北側）で、盛土材１１２０および盛土材１２２０のＸ方向（東側）に設置されている。さらに、盛土材１３３０が盛土材１２３０のＹ方向（北側）で、盛土材１２２０および盛土材１３２０のＸ方向（東側）に設置されている。
すなわち、第三列目は第二列目に対して−Ｙ方向で半ピッチずれているから、第一列目に対してはＹ方向のずれが無く、「千鳥配置」されたことになる。
なお、Ｙ方向のずれ量は半ピッチに限定するものではなく、何れの量であっもよい。また、ずれ量がない（ゼロ）ようにすれば、端縁方向先行型において「方眼配置」することができる。
また、前記側縁方向先行型の構築法と端縁方向先行型の構築法とは、軽量盛土構造物の範囲毎に適宜使い分けることが可能である。
【００５４】
図１４は本発明の実施形態２に係る軽量盛土構造物の構築法であって、図１２および１３に示す端縁方向先行型の構築法において、最下層の上に第二層を積層する要領を模式的に説明する正面図である。なお、記載要領は、図１１に準じる。
図１４の（ａ）において、最下層の第一列目（Ｙ方向、端縁方向に同じ）に盛土材１１１０、１２１０が、第二列目に盛土材１２１０、１２２０が、第三列目に盛土材１１３０、１２３０がそれぞれ千鳥状に敷設されている。
そして、最下層の第一列目の盛土材１１１０と第２列目の盛土材１１２０の２ツに跨って第二層の第一列目の盛土材２１１０が設置されている。また、最下層の第一列目の盛土材１２１０と第２列目の盛土材１１２０、１２２０の３ツに跨って第二層の第一列目の盛土材２２１０が設置されている。すなわち、千鳥配置された最下層の上に、Ｘ方向（側縁方向）にのみ半ピッチずれた状態（図８の（ｂ）に示す基本積層法参照）で、千鳥配置された第二層が積層されている。
【００５５】
図１４の（ｂ）において、千鳥配置された最下層の上に、Ｘ方向（側縁方向）およびＹ方向（端縁方向）の両方にそれぞれ半ピッチずれた状態で、千鳥配置された第二層が設置されている。
すなわち、第二層の盛土材２１１０が最下層の第一列目の盛土材１１１０、１２１０および第二列目の盛土材１１２０の３ツに跨って設置されている。
なお、図１１の説明と同様に、それぞれの盛土材にかかる力は、底板および天板によって分散されるから、それぞれの鋼管の限られた面積に集中することがない。また、地盤から所定の高さおける所定の幅員（側縁方向の距離）を有する軽量盛土構造物を容易に構築することが可能になる。
【００５６】
［実施形態３］
（軽量盛土構造物）
図１５および図１６は本発明の実施形態３に係る軽量盛土構造物の一部であって、図１５の（ａ）は正面図、（ｂ）は側面図、図１６の（ｃ）は平面図である。
図１５、１６において、軽量盛土構造物１０００は、最下層に設置された前記盛土材７（底部ユニット−３）と、第二層から第四層に配置された前記盛土材１（中間部ユニット）と、第四層の上に敷設されたコンクリート床版５０００とを有し、方眼状に敷設された下層の上に、Ｘ方向（側縁方向）に半ピッチずれた状態で、方眼配置された上層が積層されている（図１１の（ａ）参照）。また、第二層から第四層の側縁部には盛土材３（側部ユニット−１）が、または最下層の側縁部には盛土材３に準じて天板の片方の側縁部形状を変更したものが設置されている。なお、図９〜１４と同じ部分にはこれと同じ符号を、同じ要領で付し、説明を省略する。
【００５７】
したがって、軽量盛土構造物１０００は、使用する盛土材が通水自在な軽量且つ簡素な構造であって、安価であるから、施工が容易になり、施工期間の短縮および施工コストの低減が可能になる。
さらに、軽量盛土構造物１０００全体が軽量に形成できるから、施工場所の制限が緩和され、且つ、施工に際して軟弱地盤自体の改良対策や軟弱地盤上への補強手段の敷設等が不要または軽度になるため、トータルの施工コストがさらに低減する。
また、盛土材同士を相互に重ねた際、地震等の外力によって相互に離れるおそれがないから、軽量盛土構造物の全体を堅固にすることができ、保全性および耐久性が向上する。
さらに、筒状体等の形状を自由に選定自在であるため、意匠性が付与され、景観性に優れた環境フレンドリーな構造物を提供することが可能になる。
【００５８】
なお、盛土材７（底部ユニット−３）に代えて盛土材１、５または６を使用してもよい。このとき、地盤９００の上にモルタルや地盤補強手段を敷設し、その上に盛土材１、５または６を載置してもよい。また、側縁部に盛土材３に代えて盛土材１を使用してもよい。
さらに、方眼配置された下層の上に、Ｘ方向（側縁方向）およびＹ方向（端縁方向）の両方向にそれぞれ半ピッチずれた状態で、方眼配置された上層を積層してもよい（図１１の（ｂ）参照）。また、千鳥配置された下層の上に、Ｘ方向（側縁方向）またはＹ方向（端縁方向）の一方または両方に半ピッチずれた状態で、千鳥配置された上層を積層してもよい（図１４の（ａ）、（ｂ）参照）。
さらに、盛土材を構成する鋼管、底板または天板は、設置される位置に対応して材料強度や厚さを選定することができる。
【産業上の利用可能性】
【００５９】
本発明は、軽量盛土構造物を構築するための盛土材、これを用いた軽量盛土構造物の構築法、並びに軽量盛土構造物に利用することができる。
【図面の簡単な説明】
【００６０】
【図１】盛土材（中間部エレメント−１）を示す（ａ）は正面図、（ｂ）は平面図、（ｃ）は側面図である。
【図２】盛土材（中間部エレメント−２）を示す（ａ）は正面図、（ｃ）は側面図である。
【図３】盛土材（側部エレメント−１）を示す正面図である。
【図４】盛土材（側部エレメント−２）を示す正面図である。
【図５】盛土材（底部エレメント−１）を示す正面図である。
【図６】盛土材（底部エレメント−２）を示す正面図である。
【図７】盛土材（底部エレメント−３）を示す正面図である。
【図８】本発明の実施形態２に係る軽量盛土構造物の構築法であって、（ａ）は最下層を示す正面図、（ｂ）は２層目を示す正面図である。
【図９】軽量盛土構造物の構築法であって、側縁方向先行型を順番を追って模式的に説明する平面図である。
【図１０】軽量盛土構造物の構築法であって、側縁方向先行型を順番を追って模式的に説明する平面図である。
【図１１】図９および１０に示す側縁方向先行型の構築法において、最下層の上に第二層を設置する要領を模式的に説明する平面図である。
【図１２】軽量盛土構造物の構築法であって、端縁方向先行型を順番を追って模式的に説明する平面図である。
【図１３】軽量盛土構造物の構築法であって、端縁方向先行型を順番を追って模式的に説明する平面図である。
【図１４】図１２および１３に示す端縁方向先行型の構築法において、最下層の上に第二層を設置する要領を模式的に説明する平面図である。
【図１５】本発明の実施形態３に係る軽量盛土構造物の一部であって、（ａ）は正面図、（ｂ）は側面図である。
【図１６】本発明の実施形態３に係る軽量盛土構造物の一部であって、（ｃ）は平面図である。
【符号の説明】
【００６１】
１、２、３、４、５、６、７…盛土材、 １０…筒状体（鋼管）、２０…底板、
２１…山部        ２２…谷部、      ３０…天板、          ３１…山部、
３２…谷部、      ４０…天板、      ５０…平板、          ６０…平板、
７０…モルタル、  ７１…下面、      ９０…天板、          ９５…天板、
１００、２００、３００…盛土材、
１２０、２２０、３２０…底板、
１３０、２３０、３３０…天板、         ９００…地盤、
１０００… 軽量盛土構造物、          ５０００…コンクリート床版
【図１】
2005083067.tif 000003
【図２】
2005083067.tif 000004
【図３】
2005083067.tif 000005
【図４】
2005083067.tif 000006
【図５】
2005083067.tif 000007
【図６】
2005083067.tif 000008
【図７】
2005083067.tif 000009
【図８】
2005083067.tif 000010
【図９】
2005083067.tif 000011
【図１０】
2005083067.tif 000012
【図１１】
2005083067.tif 000013
【図１２】
2005083067.tif 000014
【図１３】
2005083067.tif 000015
【図１４】
2005083067.tif 000016
【図１５】
2005083067.tif 000017
【図１６】
2005083067.tif 000018